(57)【要約】      （修正有）【課題】競技運動用コートの区画表示のため、床面にテープを貼り付けるラインテープ貼り付け器に関し、特に円弧状のラインを綺麗に貼り付け表示できる貼り付け器を提供する。【解決手段】支持体Ｂは、基盤の底面に滑り止め手段を備えるとともに、頂面にはアーム挿入金具を有する回転金具を、前記基盤と独立して回動自在に設け、軌道体は、本体のコ字形を呈する両端に両方向に回転自在な車輪を備え、該本体の上面中央部にはアーム挿入穴を有するとともに、アーム固定具を備えた挿入金具を設け、貼り付け体Ｄは、枠本体の頂面に筒体を植設し、側面には右下がり状を呈する長孔が設けられたアーム体固定着用のコ字形金具が取り付けられ、該枠の下端には貼り付けローラーを回転自在に備えるとともに、このローラーの斜め上方で枠本体の端部には着脱自在にテープを設ける。【選択図】図１
0003123689.tif 000002
【実用新案登録請求の範囲】
【請求項１】
本考案のラインテープ貼り付け器Ａは、主要な五つの要素から構成され、
第一の要素支持体Ｂは、基盤の底面に滑り止め手段を備えるとともに、頂面にはアーム挿入金具を有する回転金具を前記基盤と独立して回動自在に設けて形成され、
第二の要素軌道体Ｃは、本体のコ字形を呈する両端に、両方向に回転自在な車輪を備え、該本体の上面中央部には、アーム挿入孔を有するとともにアーム固定具を備えた挿入金具を設けて形成され、
第三の要素貼り付け体Ｄは、枠本体の頂面に筒体を植設し、一側面には長孔が設けられ且つアーム固定着用のコ字形金具が取り付けられ、該枠の下端には貼り付けローラーを回転自在に備えるとともに、このローラーの上方で枠本体の端部には着脱自在にテープを設けて形成され、
第四の要素ハンドル体Ｅは、両端に握部を有するバーをシャフトの上端にＴ字形を呈して設けて形成され、
第五の要素のアーム群は、適宜長の複数アームが連結されて形成され、前記要素Ｂ並びに要素Ｃを所望する位置に取り付けることができ、その最先端には要素Ｄが固定されて成るラインテープ貼り付け器。
【請求項２】
第一の要素支持体Ｂに設けられたアーム挿入金具の上面には、該要素をアームの所望位置に固定着するための固定金具を備えるとともに、該要素に重りの役目を持たせたことを特徴とする請求項１記載のラインテープ貼り付け器。
【請求項３】
不使用時において、第三の要素貼り付け体Ｄの下端に取り付けられる貼り付けローラーの軸点と、側面に取り付けられたコ字形金具のカシメ点とは直上一線状態に位置し、
使用時は、枠本体は傾斜され、前記ローラーの軸点とコ字形金具のカシメ点並びに貼り付けテープの取り付け軸点が、同一直線状態に位置することを特徴とする請求項１記載のラインテープ貼り付け器。
【請求項４】
支持体基盤の底面に備えられる滑り止め手段は、突状を呈する部位を有することを特徴とする請求項１記載のラインテープ貼り付け器。
【考案の詳細な説明】
【技術分野】
【０００１】  本考案は学校や地域施設の体育館なとで、バレーボールやバスケットボール等の運動競技用コートの区画表示のため、床面にテープを貼り付けるラインテープ貼り付け器に関するもので、特に円弧状のラインを綺麗に貼り付け表示できるように考案されたものである。
【背景技術】
【０００２】  体育館などの屋内コートに、各競技の区画表示のためそれぞれ別色の規定幅のテープを貼り付けるラインテープ貼り付け器は、例えば実開昭５７−２００２６０号や実開昭５９−４８６６８号などが知られている。
しかしながらこれらの考案品では、直線状のラインは綺麗に且つ容易に描出することができても、円弧状ラインを直線状ラインと同等程度に表示描出することは困難であることから、出願人は実開平０１−５４５８７号や意匠登録第７６９０９０号を考案・創作している。
【考案の開示】
【考案が解決しようとする課題】
【０００３】  出願人の前記考案・創作によって、従来品に比し円弧状ラインの表示描出は著しく向上した。
しかしながら、円弧状ラインの表示描出に一定の結果を得るためにはある程度の経験と技術を要することは否定できない。そこで、更に使い勝手が良く、しかも従来品の貼り付け器も活用可能で、その上容易に且つ綺麗で正確に表示描出できる実願２００６−９７３が出願人によって考案された。
そして今回、前記考案に更なる改良を加えるとともに、専用のテープ貼り付け要素を考案し、該要素を備えて、技術や経験を要せずとも綺麗に円弧状ラインの貼り付けができるテープ貼り付け器を提供しようとするものである。
【課題を解決するための手段】
【０００４】  上記目的を達成するため本考案は、新たに考案されたテープ貼り付け要素を備え、更に、先の考案品に更なる改良を加えた貼り付け器を提供するものある。【０００５】  具体的には、本考案のラインテープ貼り付け器を主要な五つの要素で構成し、
第一の要素支持体Ｂは、基盤の底面に滑り止め手段を備えるとともに、頂面にはアーム挿入金具を有する回転金具を、前記基盤と独立して回動自在に設けて形成されている。【０００６】  第二の要素軌道体は、本体のコ字形を呈する両端に両方向に回転自在な車輪を備え、該本体の上面中央部にはアーム挿入孔を有するとともに、アーム固定具を備えた挿入金具を設けて形成されている。【０００７】  第三の要素貼り付け体Ｄは、枠本体の頂面に後期第四の要素ハンドル体Ｅ取り付け用の筒体を植設し、側面には右下がり状を呈する長孔が設けられたアーム体固定着用のコ字形金具が取り付けられ、該枠の下端には貼り付けローラーを回転自在に備えるとともに、このローラーの斜め上方で枠本体の端部には着脱自在にテープを設けて形成されている。【０００８】  第四の要素ハンドル体Ｅは、両端に握部を有するバーをシャフトの上端にＴ字形を呈して設けて形成されている。【０００９】  第五の要素のアーム群は、適宜長を呈する複数のアームが連結されて形成され、前記要素Ｂ並びにＣが所望する位置に取り付けられ、その最先端には要素Ｄが固定され形成されるラインテープ貼り付け器である。【００１０】  第一の要素支持体Ｂに設けられたアーム挿入金具の上面には、該要素をアームの適宜位置に固定着するための固定金具を備えるとともに、この要素自体に重りの役目をも持たせ、
不使用時は、ローラーの軸点とコ字形金具のカシメ点とは直上一線状態に位置し、
使用時は、枠本体は傾斜され、前記ローラーの軸点とコ字形金具のカシメ点並びにテープの取り付け軸点が同一直線状態に位置するように形成され、更には、支持体基盤の底面に備える滑り止め手段は、突状を呈する部位を有して課題を解決する手段としている。
【考案の効果】
【００１１】  本考案は以上のような構成で課題を解決しようとするものであるから、従来品では得ることができない以下の顕著な効果を奏するものである。
（１）第一の要素支持体Ｂは、基盤の底面に滑り止め手段を備えていて、その上この要素自体に重りの役目を持たせているので、作動中に基点となるこの支持体が移動してしまい、表示するテープがずれたりすることが無く安定した状態で円弧状ラインを表示描出できる。【００１２】（２）第一の要素支持体Ｂの頂面には、アーム挿入金具を有する回転金具を前記基盤と独立して回動自在に設けてあるので、アームの所望する位置に該要素を取り付け固定できるばかりでなく、円弧状ラインの表示描出が円滑に行える。【００１３】（３）第二の要素軌道体Ｃは、上面中央部にはアーム挿入孔を備えるとともに、アーム固定具を有する挿入金具が設けられているので、アームの所望位置に取り付け固定する事ができ、また、本体の両端には両方向に回転自在な車輪を有しているので、当該要素は円滑に作動し、正確に円弧状ラインを表示描出する。【００１４】（４）第三の要素貼り付け体Ｄは、側面にコ字形金具を備え、アームの先端をこの金具に一体的に固定することでその固定は強固になされ、アームが円弧状に回動するとき、この要素はぶれも無く回動して綺麗なラインを表示描出することができる【００１５】（５）不使用時において前記要素Ｄは、本体の枠体と前記コ字形金具との取り付け固定カシメ軸点と、本体の枠体下端に取り付けられた貼り付けローラーの軸点が直上一線状態に位置していて、
使用時におけるこの要素Ｄは、ハンドル体で傾斜された分だけ、カシメ軸点が枠体の側面に設けられた長孔に沿って移動する形を呈して長孔の端部で停止するので、それ以上に枠体自体が傾斜することが無く、常時安定したテープの貼り付けが行われる。【００１６】（６）上記効果を奏するとき、ローラーの軸点とカシメの軸点、並びにテープの取り付け軸点、即ちテープの回転軸点が同一直線状態に位置し、貼り付け部へのテープの送りが円滑に行われるので、床面にテープを貼り付けたとき皺や捩じれが生じることが無い。
【考案を実施するための最良の形態】
【００１７】  本考案を実施するための最良の形態は、本考案のラインテープ貼り付け器Ａを五つの主要な要素から構成し、
第一の要素支持体Ｂは、基盤の底面に例えば吸盤のような滑り止め手段を備え、頂面にはアーム挿入金具を有する回転金具を前記基盤と独立して回動自在に設けるとともに、この要素自体に重りの役目を持たせて形成し、【００１８】  第二の要素軌道体Ｃは、本体のコ字形を呈する両端に両方向に回転自在な車輪を備え、該体の上面中央部にはアーム挿入孔を有するとともに、アーム固定具を備えた挿入金具を設けて形成し、【００１９】  第三の要素貼り付け体Ｄは、枠本体の頂面に筒体を植設し、一側面には長孔が設けられ且つアーム固定着用のコ字形金具が取り付けられ、該枠の下端には貼り付けローラーを回転自在に備えるとともにこの枠本体の端部には着脱自在に貼り付けテープを設けて形成し、
不使用は、貼り付け体Ｄの下端に取り付けられる貼り付けローラーの軸点と、側面に取り付けられたコ字形金具のカシメ点は直上一線状態に位置し、
使用時は、前記ローラーの軸点とコ字形金具のカシメ点並びにテープの取り付け軸点が、同じ直線状態に位置するように形成している。【００２０】  第四の要素ハンドル体Ｅは、両端に握部を有するバーをシャフトの上端にＴ字形を呈して設けて形成し、【００２１】  第五の要素のアーム群は、ロ字形で適宜長の複数アームが連結されて形成され、要素Ｂ並びに要素Ｃが所望する位置に取り付けられ、最先端には要素Ｄが固定されて形成される。【００２２】  そして第一の要素支持体Ｂに設けられたアーム挿入金具の上面には、該要素をアームの適宜位置に固着するための固定金具を備え、この要素自体に重りの役目を持たせている。
【実施例】
【００２３】  図面に示す実施例に基づき本考案を詳細に説明すると、
図１において本考案のラインテープ貼り付け器は、符号Ｂの基点支持体、符号Ｃの軌道体、符号Ｄの貼り付け体、符号Ｅのハンドル体と、前記符号Ｂ，符号Ｃ，符号Ｄが取り付けられる符号１，２１，２２のアーム群との五つの主要な要素から構成されている。【００２４】  図２は要素の基点支持体Ｂを説明するもので、基盤１２の底面には例えば吸盤のような滑り止めの役目を果たす手段を備え、上面には固定金具１４に一体となった金具１５が設けられていて、該金具１５には第一アーム１が挿入され、該体Ｂはこのアーム１の所望位置に取り付け固定される。
ここで説明の固定金具１４は、基盤１２とは独立して回動自在に設けられていて、該金具１４には一体的に前記アームに取り付け固定するための固定金具１６を有する金具１５が設けられていて、基盤１２，固定金具１４，金具１５並びに固定金具１６は重しの役目も兼ね備えている。
尚、符号１７は基盤１２の底面に備えられた滑り止め手段を固定する固定ボルトである。【００２５】  図３は、図２で説明の基点支持体Ｂと同じ役目を果たす他の実施例を説明するもので、この実施例では、図２で説明の一体の基盤を三体で構成しているもので、これら三体の基盤２の上面に固定ボルト７で一体的に基体３を設け、この基体３の上面に該体とは独立して回転自在に回転金具４を取り付けるとともに、頂部にアームの所望位置に固定するための固定金具６を備え且つアーム挿通孔を有する金具５を、前記金具４に設けて形成される。【００２６】  図４は図３の底面を説明するもので、三体のサークル２の底面には例えばゴム製の吸盤の如き滑り止め体８を設けてある。尚、このような滑り止め体を含め滑り止め手段を講じることは図２で説明の実施例においても同様である。
これらの滑り止め手段は、図示した吸盤などに頼らずにノンスリップシートを用いるものであっても何ら差し支えないが、いずれの方法のものであっても、磨耗した場合はその取替えが容易に行えるように考慮されたもので無ければならない。【００２７】  図５は前記要素Ｂと後記する要素Ｄとの間にあって、アームの所望位置に取り付けられ、アームの回転とともに円の軌跡を描きながら移動して、後記で説明のテープ貼り付け体の円滑な作動を補助する重要な役目を果たす軌道体Ｃを説明するものである。【００２８】  この軌道体Ｃの本体両側はコ字形の二股を呈していて、該二股の間に車輪２３が両方向回動自在に設けられ、中央部上面には固定具２６を有するとともに、アーム挿入孔２７を備えた挿入金具２５が設けられている。
ここで説明の軌道体Ｃは、第二アーム２１と第三アーム２２とが連結された状態の位置に取り付けられているが、第二アームに取り付けられることもしばしばである。
要は、円弧状ラインを表示する競技種目の求めに応じ変更されるものである。
したがって、図における第二アームが省かれ第一アームと第三アームが連結されることもある。【００２９】  図６は前記考案とは別に今回新たに考案された要素Ｄのテープ貼り付け体を一部切欠図で説明するもので、枠体３４の頂面には本考案品Ａを手動で作動されるためのハンドル体Ｅのシャフト３５を嵌入させる筒体３３が植設されている。
一方の側面には、コ字形金具３１が固定カシメ３９で枠体３４に取り付けられていて、この金具３１に第三アーム２２の先端が固定具３２で設けられている。
更にこの枠体３４の下端にはテープを床面に貼り付けるための一定の自重を有するローラー３７を回動自在に設けるとともに、枠体３４の上方にはテープ装着用の軸３５が着脱自在に備えられている。【００３０】  図７は図６で説明のテープ貼り付け体Ｄを側面から示して説明する図で、特にここでは、使用時と不使用時における該体の作動状態を説明するものである。
前図で説明のように、頂面に植設された筒体３３にハンドル体Ｅのシャフト４１が嵌入され、このハンドル体の握り部４０を押しながら進むことで、取り付け位置から下方に伸ているテープ３８はローラー３７によって床面に貼り付けられるものである。
このとき、ローラー３７の軸点３６とコ字形金具３１の固定軸点カシメ３９との軸線ａは、図中矢印で示したｂ線まで傾斜角度ｄで傾斜し、前記カシメ３９は長孔５０に沿ってその端部まで移動する呈をなし、ローラー３７の軸点３６と固定軸点カシメ３９並びに貼り付けテープ３８の回転の軸点３５が一直線状態を呈しｅ線上に位置することとなる。
そしてテープの貼り付けが終わればこの図７の当初の状態に戻り、ローラー３７の軸点３６と固定軸点カシメ３９の軸線が一直線状態を呈してａ線上に位置し、該体Ｄは直立した状態と成る。
【産業上の利用可能性】
【００３１】  以上説明ように本考案は従来品に無い数々の効果を奏するものであって、先に考案の実願２００６−９７３とともに実施されたとき、然したる経験も技術も要せずとも競技床面にゆがみやずれの無い綺麗な円弧状のラインを表示描出しが可能となる優れた効果が期待き、しかも、これを製造するに特別な設備投資も必要無く、その上特段問題点の存在も無く、その上、このようなラインテープ貼り付け器はその出現が強く希求されていたので、産業上の利用可能性は頗る高いものがある。
【図面の簡単な説明】
【００３２】
【図１】本考案を構成する各要素を説明する図で、要素Ｅを除く各要素は使用時の状態を示している。
【図２】図１の要素Ｂの詳細を説明する図である。
【図３】図１における要素Ｂの他の実施例を説明する図である。
【図４】図２の実施例における底面の構成を説明する図である。
【図５】図１の要素Ｃを詳細に説明する図である。
【図６】図１の要素Ｄで、テープの取り付けを除き一部切欠断面で説明する図である。
【図７】図６の要素Ｄの作動を説明する図である。
【符号の説明】
【００３３】Ａ本考案品    Ｂ基点支持体    Ｃ軌道体    Ｄ貼り付け体    Ｅハンドル体
１第一アーム    ２，１２基盤    ３基体    ４，１４回転金具    ５，１５金具
６，１６固定金具    ７，１７固定ボルト    ８滑り止め体
２１第二アーム    ２２第三アーム    ２３車輪    ２４本体    ２５挿入金具
２６固定具    ２７挿入孔
３１コ字形金具    ３２固定具    ３３筒体    ３４枠本体    ３５シャフト
３６ローラー軸    ３７貼り付けローラー    ３８貼り付けテープ    ３９カシメ
４０握り部    ４１シャフト    ５０長孔
ａローラーカシメ軸線    ｂ傾斜線    ｃ移動線    ｄ傾斜幅    ｅローラテープ軸線
【図１】
0003123689.tif 000003
【図２】
0003123689.tif 000004
【図３】
0003123689.tif 000005
【図４】
0003123689.tif 000006
【図５】
0003123689.tif 000007
【図６】
0003123689.tif 000008
【図７】
0003123689.tif 000009